(57)【特許請求の範囲】
【請求項１】
コンピュータが実行する、
ユーザ及び前記ユーザが商品又はサービスを店舗で購入することにより特典が前記ユーザに付与される前記店舗とは異なる第三者から、前記ユーザそれぞれを識別するための複数のユーザ識別情報と、前記店舗を識別するための店舗識別情報と、前記特典の内容を示す特典情報と、前記第三者が提供可能であって複数の前記ユーザ識別情報それぞれのユーザが利用可能な前記特典に対応する金銭価値の総額とを受け付け、前記店舗識別情報と、前記特典情報と、前記総額と、複数の前記ユーザ識別情報とを関連付けて記憶部に記憶させるステップと、
前記ユーザが使用するユーザ端末から、前記ユーザを識別するための前記ユーザ識別情報と、前記ユーザが決済するための決済用コードの発行要求とを受信するステップと、
前記決済用コードの発行要求を受信すると、前記決済用コードを生成するための決済用トークンを生成するステップと、
前記ユーザ端末から受信した前記ユーザ識別情報と、前記決済用トークンとを関連付けて前記記憶部に記憶させるステップと、
前記決済用トークンを前記ユーザ端末に送信するステップと、
前記決済用トークンに基づいて前記ユーザ端末が表示した前記決済用コードを読み取った前記店舗において使用される店舗端末から、前記決済用トークンと、前記店舗識別情報と、前記ユーザの前記店舗における決済に対応する決済情報とを受信するステップと、
受信した前記決済用トークンが前記記憶部に記憶されている場合、決済を行うとともに、当該決済用トークンに関連付けられて記憶されている前記ユーザ識別情報と、受信した前記店舗識別情報とに関連付けられて前記特典情報が前記記憶部に記憶されており、当該特典情報に関連付けられている前記総額から、当該特典情報に関連付けられている複数の前記ユーザ識別情報が示す複数のユーザの少なくともいずれかに対し、前記特典に対応して既に付与された金銭価値の総額である付与総額を差し引いた金銭価値である残存額が０よりも大きいこと、又は当該特典情報が示す特典に対応する金銭価値よりも当該残存額が大きいことを条件として、当該特典情報が示す特典を前記ユーザに付与するステップと、
を有する決済処理方法。
【請求項２】
前記特典情報を前記記憶部に記憶させるステップにおいて、前記コンピュータは、前記ユーザ識別情報と、前記店舗識別情報と、前記特典情報と、前記特典を前記ユーザに付与するための特典付与条件とを受け付け、前記ユーザ識別情報と、前記店舗識別情報と、前記特典情報と、前記特典付与条件とを関連付けて前記記憶部に記憶させ、
前記特典を前記ユーザに付与するステップにおいて、前記コンピュータは、受信した前記決済用トークンに関連付けられて記憶されている前記ユーザ識別情報と、受信した前記店舗識別情報とに関連付けられて前記特典情報及び前記特典付与条件が前記記憶部に記憶されており、当該特典付与条件が満たされている場合に、当該特典情報が示す特典を前記ユーザに付与する
請求項１に記載の決済処理方法。
【請求項３】
前記決済用コードの発行要求を受信するステップから前記決済用トークンを受信するステップを実行するまでに、前記コンピュータは、前記ユーザ端末から、前記特典情報を受信することなく、前記特典を前記ユーザに付与するステップにおいて前記特典をユーザに付与する、
請求項１又は２に記載の決済処理方法。
【請求項４】
前記ユーザ端末から、前記ユーザ識別情報と、前記決済用コードの発行要求とを受信すると、当該ユーザ識別情報に関連付けられている前記店舗識別情報が示す店舗に対応する情報及び前記特典情報を前記ユーザ端末に通知するステップをさらに有する、
請求項１から３のいずれか１項に記載の決済処理方法。
【請求項５】
コンピュータが実行する、
ユーザ及び前記ユーザが商品又はサービスを店舗で購入することにより特典が前記ユーザに付与される前記店舗とは異なる第三者から、前記ユーザそれぞれを識別するための複数のユーザ識別情報と、前記店舗を識別するための店舗識別情報と、前記特典の内容を示す特典情報と、前記第三者が提供可能であって複数の前記ユーザ識別情報それぞれのユーザが利用可能な前記特典に対応する金銭価値の総額とを受け付け、前記店舗識別情報と、前記特典情報と、前記総額と、複数の前記ユーザ識別情報とを関連付けて記憶部に記憶させるステップと、
商品又はサービスの購入に関する決済を行うための決済用コードを示す決済用トークンを前記記憶部に記憶させるステップと、
前記決済用コードを読み取った前記ユーザが使用するユーザ端末から、当該決済用コードに対応する前記決済用トークンと、前記ユーザを識別するための前記ユーザ識別情報と、前記店舗識別情報を含み前記ユーザの決済に対応する決済情報とを受信するステップと、
受信した前記決済用トークンが前記記憶部に記憶されている場合、決済を行うとともに、受信した前記ユーザ識別情報と、受信した決済情報に含まれる前記店舗識別情報とに関連付けられて前記特典情報が前記記憶部に記憶されており、当該特典情報に関連付けられている前記総額から、当該特典情報に関連付けられている複数の前記ユーザ識別情報が示す複数のユーザの少なくともいずれかに対し、前記特典に対応して既に付与された金銭価値の総額である付与総額を差し引いた金銭価値である残存額が０よりも大きいこと、又は当該特典情報が示す特典に対応する金銭価値よりも当該残存額が大きいことを条件として、当該特典情報が示す特典を前記ユーザに付与するステップと、
を有する決済処理方法。
【請求項６】
前記コンピュータが実行する、前記ユーザ端末が前記決済用コードを読み取る場合に前記ユーザ端末から前記ユーザ識別情報を受信し、受信した前記ユーザ識別情報に関連付けられている前記店舗識別情報が示す店舗に対応する情報及び前記特典情報を前記ユーザ端末に通知するステップをさらに有する、
請求項５に記載の決済処理方法。
【請求項７】
前記コンピュータが実行する、前記特典情報が示す特典が前記ユーザに付与されると、前記特典が前記ユーザに付与されたことを前記第三者の端末に通知するステップをさらに有する、
請求項１から６のいずれか１項に記載の決済処理方法。
【請求項８】
前記特典情報を前記記憶部に記憶させるステップにおいて、前記コンピュータは、前記特典情報と、前記第三者を識別する第三者識別情報とを関連付けて前記記憶部に記憶させ、
前記コンピュータが実行する、前記ユーザに付与された特典を示す特典情報に関連付けて前記記憶部に記憶されている第三者識別情報を特定し、特定した第三者識別情報が示す第三者に、当該特典に対応する金銭価値を請求するステップをさらに有する、
請求項１から７のいずれか１項に記載の決済処理方法。
【請求項９】
前記記憶部は、前記第三者の口座情報を記憶し、
前記第三者に請求するステップにおいて、前記コンピュータは、前記記憶部に記憶されている前記口座情報に基づいて、前記ユーザに付与された特典に対応する金銭価値を前記第三者に請求する、
請求項８に記載の決済処理方法。
【請求項１０】
前記特典情報を前記記憶部に記憶させるステップにおいて、前記コンピュータは、第三者としての前記ユーザを雇用する雇用主から、複数の前記ユーザ識別情報と、前記店舗識別情報と、前記特典情報と、前記総額とを受け付ける、
請求項１から９のいずれか１項に記載の決済処理方法。
【請求項１１】
前記特典情報を前記記憶部に記憶させるステップにおいて、前記コンピュータは、第三者としての前記ユーザが居住する自治体から、複数の前記ユーザ識別情報と、前記店舗識別情報と、前記特典情報と、前記総額とを受け付ける、
請求項１から１０のいずれか１項に記載の決済処理方法。
【請求項１２】
前記コンピュータが、前記第三者から、前記ユーザに関連付けられている前記特典情報の更新を受け付けるステップをさらに有する、
請求項１から１１のいずれか１項に記載の決済処理方法。
【請求項１３】
前記記憶部は、第三者を識別する第三者識別情報を記憶し、
前記特典情報を前記記憶部に記憶させるステップにおいて、前記コンピュータは、前記第三者識別情報を第三者から受け付けることにより第三者の認証を行い、認証に成功した第三者から特典情報を受け付ける、
請求項１０から１２のいずれか１項に記載の決済処理方法。
【請求項１４】
前記特典情報を前記記憶部に記憶させるステップにおいて、前記コンピュータは、前記第三者から、前記第三者と前記ユーザとの関係を証明する証明用情報を受け付け、前記証明用情報を前記記憶部に記憶させる、
請求項１から１３のいずれか１項に記載の決済処理方法。
【請求項１５】
前記特典を前記ユーザに付与するステップにおいて、前記ユーザ識別情報と、前記特典情報に対応する第三者の関係を証明する有効な前記証明用情報が前記記憶部に記憶されていない場合、前記ユーザに前記特典を付与することなく前記決済を行う、
請求項１４に記載の決済処理方法。
【請求項１６】
前記決済用トークンを受信するステップを実行するまでに、前記コンピュータは、前記ユーザ端末から前記特典情報を受信することなく、前記特典を前記ユーザに付与するステップにおいて前記特典をユーザに付与する、
請求項１から１５のいずれか１項に記載の決済処理方法。
【発明の詳細な説明】
【技術分野】
【０００１】
本発明は、決済処理方法に関する。
【背景技術】
【０００２】
ＱＲコード（登録商標）等の二次元バーコードを用いたコード決済が普及している（例えば、特許文献１、特許文献２を参照）。コード決済は、店舗側が表示した二次元バーコードをユーザ端末により読み取るか、ユーザ端末が表示した二次元バーコードを店舗側が読み取ることにより決済が行われる。
【先行技術文献】
【特許文献】
【０００３】
【特許文献１】特許６５２８１６０号公報
【特許文献２】特許６４７３５３９号公報
【発明の概要】
【発明が解決しようとする課題】
【０００４】
ユーザが属する組織において、ユーザに対して、特定の店舗での決済時に割引等の特典が与えられる権利が付されることがある。しかしながら、特定の店舗においてユーザがコード決済により決済を行った場合に、即時に特典が付される方法がないという問題があった。
【０００５】
そこで、本発明はこれらの点に鑑みてなされたものであり、特定のユーザが特定の店舗で決済を行った場合に即時に特典を付与することを目的とする。
【課題を解決するための手段】
【０００６】
本発明の第１の態様に係る決済処理方法は、コンピュータが実行する、ユーザ端末のユーザを識別するためのユーザ識別情報と、前記ユーザが商品又はサービスを購入することにより特典を付与する店舗を識別するための店舗識別情報と、前記特典の内容を示す特典情報とを前記ユーザ及び前記店舗とは異なる第三者から受け付け、前記ユーザ識別情報と、前記店舗識別情報と、前記特典情報とを関連付けて記憶部に記憶させるステップと、前記ユーザ端末から、前記ユーザ識別情報と、前記ユーザが決済するための決済用コードの発行要求とを受信するステップと、前記決済用コードの発行要求を受信すると、前記決済用コードを生成するための決済用トークンを生成するステップと、前記ユーザ識別情報と、前記決済用トークンとを関連付けて前記記憶部に記憶させるステップと、前記決済用トークンを前記ユーザ端末に送信するステップと、前記決済用トークンに基づいて前記ユーザ端末が表示した前記決済用コードを読み取った前記店舗において使用される店舗端末から、前記決済用トークンと、前記店舗識別情報と、前記ユーザの前記店舗における決済に対応する決済情報とを受信するステップと、受信した前記決済用トークンが前記記憶部に記憶されている場合、決済を行うとともに、当該決済用トークンに関連付けられて記憶されている前記ユーザ識別情報と、受信した前記店舗識別情報とに関連付けられて前記特典情報が前記記憶部に記憶されていることを条件として、当該特典情報が示す特典を前記ユーザに付与するステップと、を有する。
【０００７】
本発明の第２の態様に係る決済処理方法は、コンピュータが実行する、ユーザ端末のユーザを識別するためのユーザ識別情報と、前記ユーザが商品又はサービスを購入することにより特典を付与する店舗を識別するための店舗識別情報と、前記特典の内容を示す特典情報とを前記ユーザ及び前記店舗とは異なる第三者から受け付け、前記ユーザ識別情報と、前記店舗識別情報と、前記特典情報とを関連付けて記憶部に記憶させるステップと、商品又はサービスの購入に関する決済を行うための決済用コードを示す決済用トークンを前記記憶部に記憶させるステップと、前記決済用コードを読み取った前記ユーザ端末から、当該決済用コードに対応する前記決済用トークンと、前記ユーザ識別情報と、前記店舗識別情報を含み前記ユーザの決済に対応する決済情報とを受信するステップと、受信した前記決済用トークンが前記記憶部に記憶されている場合、決済を行うとともに、受信した前記ユーザ識別情報と、受信した決済情報に含まれる前記店舗識別情報とに関連付けられて前記特典情報が前記記憶部に記憶されていることを条件として、当該特典情報が示す特典を前記ユーザに付与するステップと、を有する。
【発明の効果】
【０００８】
本発明によれば、特定のユーザが特定の店舗で決済を行った場合に即時に特典を付与することができるという効果を奏する。
【図面の簡単な説明】
【０００９】
【図１】決済システムの概要を示す図である。
【図２】決済処理装置の機能構成を示す図である。
【図３】クーポン情報の一例を示す図である。
【図４】ユーザ端末の機能構成を示す図である。
【図５】店舗端末の機能構成を示す図である。
【図６】決済システムの動作シーケンス図である。
【図７】図６に続く動作シーケンス図である。
【図８】決済処理装置がユーザ端末から決済用トークンを受信することにより決済を行う場合の決済システムの概要を示す図である。
【発明を実施するための形態】
【００１０】
［決済システムＳの概要］
図１は、決済システムＳの概要を示す図である。決済システムＳは、ユーザが店舗において商品又はサービスを購入する場合に、ユーザが所持するユーザ端末からの要求に応じて決済用コードをユーザ端末に表示させ、店舗側で決済用コードが読み込まれたことに応じて決済を行うシステムである。決済用コードは、店舗での精算に用いられる店舗側の端末において読み取れるテキスト又は画像であり、決済時に用いられるコードである。
【００１１】
決済システムＳは、決済処理装置１と、ユーザ端末２と、店舗端末３と、第三者端末４とを備える。決済処理装置１は、購入金額の決済を行うサーバである。ユーザ端末２は、ユーザが使用する情報端末であり、例えばスマートフォン、タブレット又はパーソナルコンピュータである。店舗端末３は、例えばＰＯＳ端末である。第三者端末４は、ユーザ端末２のユーザ及び店舗の事業者（店舗事業者と資本関係を有する親子会社含む）とは異なる第三者が使用する情報端末であり、例えばスマートフォン、タブレット又はパーソナルコンピュータである。第三者は、例えば、ユーザ端末２のユーザを雇用する雇用主、又はユーザが居住する地域の自治体あるいは国家、中央政府又はユーザが加入する保険会社、その他各種特典、支援、補助を会員であるユーザに一定条件のもと提供する組織、等である。第三者は、特典の付与が特定の商品又はサービスの購入に限定されている場合、当該商品又はサービスの提供者、販売者、製造者と異なっていてもよい。
以下、図１を参照しながら、決済が完了するまでの流れを説明する。
【００１２】
第三者は、ユーザが店舗において利用可能な特典を示す特典情報を決済処理装置１に登録するために、第三者端末４を操作し、第三者を識別するための第三者ＩＤと、店舗を識別するための店舗ＩＤと、ユーザ端末２のユーザを識別するためのユーザＩＤと、特典を示す特典情報とを決済処理装置１に送信する（図１における（１））。ユーザＩＤは、例えば、決済処理装置１に係るサービスを提供する所定事業者がユーザに付与するＩＤである。第三者ＩＤ及び店舗ＩＤは、例えば、所定事業者が第三者及び店舗に付与するＩＤである。決済処理装置１は、第三者端末４から受信した第三者ＩＤと、店舗ＩＤと、ユーザＩＤと、特典情報とを関連付けて記憶する（図１における（２））。
【００１３】
ユーザは、店舗において商品やサービスの購入を行う。ユーザは、店舗において会計を行う場合に、決済用のアプリケーションソフトウェアを起動する。ユーザは、アプリケーションソフトウェアにおいて、決済用コードをユーザ端末２に表示させるための操作を行う。ユーザ端末２は、ユーザを識別するためのユーザ識別情報としてのユーザＩＤと、決済用コードの発行要求とを決済処理装置１に送信する（図１における（３））。
【００１４】
決済処理装置１は、ユーザ端末２から、決済用コードの発行要求を受信すると、決済用トークンを生成する（図１における（４））。決済用トークンは、ユーザが店舗で提示する決済用コードをユーザ端末２が生成する際に用いるデータ列である。決済処理装置１は、生成した決済用トークンと、受信したユーザＩＤとを関連付けて記憶する（図１における（５））。
【００１５】
決済処理装置１は、生成した決済用トークンをユーザ端末２に送信する（図１における（６））。決済処理装置１は、決済用トークンを暗号化した後に、暗号化した決済用トークンをユーザ端末２に送信してもよい。
【００１６】
ユーザ端末２は、受信した決済用トークンに基づいて決済用コードを生成して表示させる（図１における（７））。
ユーザは、店舗のレジで商品の購入代金を精算する際に決済用コードを提示する。そして、例えば店員の操作により、店舗端末３が、ユーザ端末２に表示された決済用コードを読み取る（図１における（８））。
【００１７】
店舗端末３は、ユーザの店舗における商品又はサービスの購入に関する決済情報を生成する。決済情報には、例えばユーザの商品購入に係る決済金額が含まれている。店舗端末３は、生成した決済情報と、店舗ＩＤと、読み取った決済用コードが示す決済用トークンとを含む決済要求を決済処理装置１に送信する（図１における（９））。
【００１８】
決済処理装置１は、店舗端末３から決済要求を受信すると、受信した決済要求に含まれる決済用トークンが、ユーザ端末２に送信した決済用トークンと一致するか否かを判定する。決済処理装置１は、２つの決済用トークンが一致すると判定した場合に、決済要求と、ユーザＩＤとに基づく決済処理を行うとともに、決済用トークンに関連付けられて記憶されているユーザＩＤと、受信した店舗ＩＤとに関連付けられて特典情報が記憶されていることを条件として、当該特典情報が示す特典をユーザに付与する（図１における（１０））。
【００１９】
決済システムＳが以上のように動作することで、第三者が特典を付与することを決定した特定のユーザが、第三者が指定した特定の店舗で決済を行った場合に即時に特典を付与することができる。
以下、決済処理装置１、ユーザ端末２及び店舗端末３の構成の詳細を説明する。
【００２０】
［決済処理装置１の機能構成］
図２は、決済処理装置１の機能構成を示す図である。決済処理装置１は、通信部１１と、記憶部１２と、制御部１３とを有する。
【００２１】
通信部１１は、インターネット等のネットワークを介してユーザ端末２及び店舗端末３とデータを送受信するための通信インターフェースである。
【００２２】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、登録部１３１、要求受信部１３２、トークン送信部１３３、決済用情報受信部１３４、及び決済処理部１３５として機能させる決済用プログラムを記憶する。
【００２３】
また、記憶部１２は、特典を管理するための特典管理情報を記憶する。図３は、特典管理情報の一例を示す図である。図３に示すように、特典管理情報は、第三者ＩＤと、店舗ＩＤと、ユーザＩＤと、特典を識別するための特典ＩＤと、特典を示す特典情報と、特典付与条件と、特典総額と、付与総額とを少なくとも関連付けた特典管理情報を記憶する。
【００２４】
特典情報には、特典内容と、特典の説明文とが含まれている。特典付与条件は、例えば、特典の有効期限を超えないことであるが、これに限らない。特典付与条件には、決済時の金額が所定額以上であること等の、他の条件が含まれていてもよい。また、特典総額は、第三者が提供可能な特典に対応する金銭価値の総額を示す情報であり、例えば、ユーザに付与された特典であるポイントの合計、割引額の合計、ポイント及び割引額の合計である。付与総額は、ユーザに付与された一以上の特典に対応する金銭価値の総額を示す情報である。
【００２５】
制御部１３は、例えばＣＰＵ（Central Processing Unit）である。制御部１３は、記憶部１２に記憶された決済用プログラムを実行することにより、登録部１３１、要求受信部１３２、トークン送信部１３３、決済用情報受信部１３４、及び決済処理部１３５として機能する。制御部１３の各部の動作の詳細については後述する。
【００２６】
［ユーザ端末２の機能構成］
図４は、ユーザ端末２の機能構成を示す図である。ユーザ端末２は、操作部２１と、通信部２２と、表示部２３と、記憶部２４と、制御部２５とを有する。制御部２５は、操作受付部２５１と、要求送信部２５２と、コード生成部２５３と、表示制御部２５４とを有する。
【００２７】
操作部２１は、ユーザの操作を受け付ける操作デバイスであり、例えば表示部２３の表面に設けられたタッチパネルである。操作部２１は、ユーザがタッチした位置を示す信号を操作受付部２５１に通知する。
【００２８】
通信部２２は、例えば携帯電話網の基地局との間でデータを送受信するための無線通信インターフェースである。通信部２２は、決済処理装置１から受信した決済用トークン等をコード生成部２５３に入力する。また、通信部２２は、決済処理装置１から受信する、ユーザが特典を使用可能な店舗に対応する店舗情報と、特典情報とを表示制御部２５４に入力する。店舗情報は例えば店舗名である。
表示部２３は、各種の情報を表示するディスプレイである。表示部２３は、コード生成部２５３の制御に基づいて、決済用コードを表示する。
【００２９】
記憶部２４は、ＲＯＭ及びＲＡＭ等を含む記憶媒体である。記憶部２４は、制御部２５が実行するプログラムを記憶している。記憶部２４は、制御部２５を、操作受付部２５１、要求送信部２５２、コード生成部２５３及び表示制御部２５４として機能させるプログラムを記憶する。また、記憶部２４は、決済処理装置１から受信した決済用トークン、及び決済用トークンに基づいて生成された決済用コード等を記憶する。
【００３０】
制御部２５は、例えばＣＰＵであり、記憶部２４に記憶されたプログラムを実行することにより、操作受付部２５１、要求送信部２５２、コード生成部２５３及び表示制御部２５４として機能する。
【００３１】
操作受付部２５１は、操作部２１から入力された信号に基づいて、ユーザの操作内容を特定する。操作受付部２５１は、特定した操作内容が、決済用コードをユーザ端末２に表示させるための操作である場合に、操作内容を要求送信部２５２に通知する。要求送信部２５２は、通信部２２を介して、ユーザＩＤと、決済用コードの発行要求とを決済処理装置１に送信する。
【００３２】
コード生成部２５３は、決済処理装置１から決済用トークンが送信されると、決済用トークンに基づく決済用コードを生成する。コード生成部２５３は、例えば、予め定められた規則に基づいて決済用コードを生成する。コード生成部２５３は、生成した決済用コードを表示部２３に表示させる。
【００３３】
表示制御部２５４は、決済処理装置１からユーザが特典を使用可能な店舗に対応する店舗情報と、特典情報とを受信すると、当該店舗情報と、特典情報とを関連付けて表示部２３に表示させる。表示制御部２５４は、決済処理装置１から決済が完了したことを示す決済完了情報を受信すると、当該決済完了情報を表示部２３の同一の画面上に表示させる。
【００３４】
［店舗端末３の機能構成］
図５は、店舗端末３の機能構成を示す図である。店舗端末３は、操作部３１と、読取部３２と、通信部３３と、表示部３４と、記憶部３５と、制御部３６とを有する。
【００３５】
操作部３１は、ユーザの操作を受け付ける操作デバイスであり、例えばユーザが購入する商品を選択するためのボタンや、表示部３４の表面に設けられたタッチパネルである。
読取部３２は、例えば、バーコードリーダ及びカメラであり、ユーザが購入する商品に付されているバーコードや、ユーザ端末２が表示した決済用コードを読み取る。読取部３２は、読み取ったバーコード及び決済用コードが示す情報を制御部３６に出力する。
【００３６】
通信部３３は、例えば決済処理装置１との間でデータを送受信するための通信インターフェースである。通信部３３は、制御部３６の制御に応じて、決済用トークン、決済情報を含む決済要求を決済処理装置１に送信する。
表示部３４は、各種の情報を表示するディスプレイである。表示部３４は、例えば、決済金額を表示する。
【００３７】
記憶部３５は、ＲＯＭ及びＲＡＭ等を含む記憶媒体である。記憶部３５は、制御部３６が実行するプログラムを記憶している。記憶部３５は、制御部３６を、決済用情報生成部３６１、トークン取得部３６２、及び決済用情報送信部３６３として機能させるプログラムを記憶する。また、記憶部３５は、商品ＩＤと、商品の価格とを関連付けた商品ＤＢを記憶する。
【００３８】
制御部３６は、例えばＣＰＵであり、記憶部３５に記憶されたプログラムを実行することにより、決済用情報生成部３６１、トークン取得部３６２、及び決済用情報送信部３６３として機能する。
【００３９】
決済用情報生成部３６１は、決済対象の一以上の商品を特定し、決済情報を生成する。具体的には、決済用情報生成部３６１は、操作部３１において店員が入力した商品ＩＤ又は読取部３２が商品に付されたバーコードから読み取った商品ＩＤを取得することにより、取得した商品ＩＤの商品を決済対象の商品と特定する。決済用情報生成部３６１は、記憶部３５に記憶されている商品ＤＢを参照し、取得した商品ＩＤに関連付けられている商品の価格を特定する。決済用情報生成部３６１は、操作部３１において店員が入力した商品ＩＤ又は読取部３２が商品に付されたバーコードから読み取った商品ＩＤを一以上取得し、当該商品ＩＤから特定した商品の価格を集計する。決済用情報生成部３６１は、操作部３１において精算操作を受け付けると、集計した商品の価格を決済金額に決定する。
【００４０】
決済用情報生成部３６１は、決定した決済金額と、読み取った商品ＩＤと、店舗を識別するための店舗ＩＤと、決済時刻としての現在時刻を示す決済時刻情報とを含む決済情報を生成する。ここで、決済時刻情報は、現在時刻に限らず、例えば、決済用コードが読み取られた時刻を示す時刻情報であってもよい。
【００４１】
トークン取得部３６２は、読取部３２が、ユーザ端末２に表示された決済用コードを読み取ることにより、決済用コードから抽出した情報を、決済用トークンとして取得する。
決済用情報送信部３６３は、決済用情報生成部３６１が決済情報を生成し、トークン取得部３６２が決済用トークンを取得すると、通信部３３を介して、決済用トークンと、決済情報とを含む決済要求を決済処理装置１に送信する。
【００４２】
［制御部１３の各部の動作］
続いて、制御部１３の各部の動作について説明する。
登録部１３１は、第三者が使用する第三者端末４からユーザＩＤと、店舗ＩＤと、特典情報とを受け付ける。登録部１３１は、受け付けたユーザＩＤと、店舗ＩＤと、特典情報とを関連付けて記憶部１２に記憶させる。
【００４３】
登録部１３１は、まず、第三者端末４から、認証情報としての、第三者ＩＤと、パスワードとを受け付けることにより第三者の認証を行う。記憶部１２には、予め第三者ＩＤとパスワードとが関連付けて記憶されており、登録部１３１は、第三者端末４から受け付けた第三者ＩＤとパスワードとが関連付けて記憶部１２に記憶されている場合、第三者の認証に成功したと判定する。登録部１３１は、認証に成功したと判定すると、第三者端末４から、ユーザＩＤと、店舗ＩＤと、特典情報と、特典付与条件と、特典総額とを受け付ける。登録部１３１は、特典情報を受け付けると、特典情報に対応する特典ＩＤを生成する。登録部１３１は、ユーザＩＤと、店舗ＩＤと、特典ＩＤと、特典情報と、特典付与条件と、特典総額とを関連付けて特典管理情報として記憶部１２に記憶させる。
【００４４】
登録部１３１は、複数の店舗のそれぞれに対応して特典情報を受け付けてもよい。例えば、登録部１３１は、１つのユーザＩＤと、複数の店舗ＩＤと、複数の店舗ＩＤそれぞれが示す店舗に対応する特典情報とを受け付けることにより、一人のユーザに対して、複数の店舗ごとに異なる特典情報を受け付けてもよい。
【００４５】
また、登録部１３１は、第三者端末４から、複数のユーザのそれぞれに対して、個別に特典情報を受け付けてもよいし、複数のユーザに対して共通の特典情報を受け付けてもよい。また、登録部１３１は、第三者端末４から、ユーザに関連付けられている特典情報の更新及び特典総額の更新を受け付けてもよい。例えば、登録部１３１は、第三者がユーザの雇用主である場合に、勤続年数に応じた特典情報の更新を受け付けてもよい。
【００４６】
また、登録部１３１は、第三者とユーザとの関係を有することを条件として特典管理情報を記憶部１２に記憶させるようにしてもよい。この場合、登録部１３１は、例えば、第三者とユーザとの関係を証明する証明用情報を第三者端末４から受け付けたことを条件として特典管理情報を記憶部１２に記憶させる。
【００４７】
第三者がユーザを雇用する雇用主である場合、証明用情報は、ユーザと雇用主との雇用関係を証明する従業員証明書あるいは雇用契約書である。また、第三者が自治体でありユーザが自治体の居住者である場合、証明用情報は、ユーザの住民票である。また、第三者がサービスの提供者でありユーザがサービスの会員である場合、証明用情報は、会員加入証明書や会員に発行されたＩＤあるいはその他カード類である。また、登録部１３１は、第三者端末４から受け付けた証明用情報に基づいて、第三者とユーザとの関係が認められない場合、特典管理情報を記憶部１２に記憶させないようにしてもよい。証明用情報に基づいて、第三者とユーザとの関係が認められない場合とは、例えば証明用情報に含まれるユーザ名と、ユーザＩＤに対応するユーザ名とが不一致である場合や、証明用情報に含まれる有効期限が切れていることである。
【００４８】
要求受信部１３２は、ユーザ端末２から、ユーザ端末２のユーザのユーザＩＤと、当該ユーザが店舗で決済するための決済用コードの発行要求とを受信する。
トークン送信部１３３は、要求受信部１３２が決済用コードの発行要求を受信すると、当該発行要求とともに受信したユーザＩＤに対応した決済用コードを生成するための決済用トークンをユーザ端末に送信する。具体的には、まずトークン送信部１３３は、要求受信部１３２が決済用コードの発行要求を受信すると、決済用トークンを生成する。続いて、トークン送信部１３３は、要求受信部１３２が受信したユーザＩＤと、生成した決済用トークンとを関連付けて記憶部１２に記憶させる。トークン送信部１３３は、生成した決済用トークンを、決済用コードの発行要求を送信したユーザ端末２に送信する。
【００４９】
ここで、トークン送信部１３３は、ユーザ端末２から、ユーザＩＤと、決済用コードの発行要求とを受信すると、特典管理情報において、受信したユーザＩＤに関連付けられている店舗ＩＤが示す店舗に対応する情報と、当該ユーザＩＤに関連付けられている特典情報とをユーザ端末２に通知してもよい。
【００５０】
この場合において、トークン送信部１３３は、ユーザ端末２からユーザ端末２の位置を示す端末位置情報を受信してもよい。この場合において、店舗ＩＤと、店舗情報と、店舗の位置を示す店舗位置情報とを記憶部１２に記憶させておく。トークン送信部１３３は、当該端末位置情報が示すユーザ端末２の位置から所定範囲内に位置する店舗に対応する店舗情報と、当該店舗に対応する特典情報とをユーザ端末２に通知してもよい。また、ユーザ端末２に通知するタイミングは、決済用コードの発行要求の受信時に限らず、ユーザが通知要求を行ったタイミングであってもよい。このようにすることで、ユーザ端末２のユーザは、決済時に、自身が購入をする店舗において特典が付与されるか否かを確認することができる。
【００５１】
決済用情報受信部１３４は、トークン送信部１３３が送信した決済用トークンに基づいてユーザ端末２が表示した決済用コードを読み取った店舗端末３から、決済用トークンと、店舗ＩＤと、ユーザの店舗における商品又はサービスの購入に関する決済に対応する決済情報とを含む決済要求を受信する。
【００５２】
決済処理部１３５は、受信した決済要求に含まれる決済用トークンが記憶部１２に記憶されている場合、決済を行うとともに、当該決済用トークンに関連付けられて記憶されているユーザＩＤと、受信した店舗ＩＤとに関連付けられて特典情報が記憶部１２に記憶されていることを条件として、当該特典情報が示す特典をユーザに付与する。決済処理部１３５は、決済用コードの発行要求を受信してから決済用トークンを受信するまでに、ユーザ端末２から、特典情報を受信することなく、特典をユーザに付与する。
【００５３】
具体的には、まず、決済処理部１３５は、決済用情報受信部１３４が決済要求を受信すると、当該決済要求に含まれる決済用トークンと一致する決済用トークンが記憶部１２に記憶されているか否かを判定する。決済処理部１３５は、一致する決済用トークンが記憶部１２に記憶されていると判定すると、当該決済用トークンに関連付けられて記憶部１２に記憶されているユーザＩＤを特定する。
【００５４】
続いて、決済処理部１３５は、記憶部１２に記憶されている特典管理情報において、特定したユーザＩＤと、店舗端末３から受信した店舗ＩＤとに関連付けて特典情報が記憶されているか否かを判定する。決済処理部１３５は、ユーザＩＤと、特典情報が記憶されていると判定すると、特典情報に関連付けられている特典付与条件が満たされているか否かを判定するとともに、特典情報に関連付けられている特典総額から付与総額を差し引いた金銭価値が０よりも大きいか否かを判定する。決済処理部１３５は、特典付与条件が満たされているとともに、特典総額から付与総額を差し引いた金銭価値が０よりも大きいと判定すると、特典情報が示す特典をユーザに付与することを決定する。
【００５５】
なお、決済処理部１３５は、特典情報に関連付けられている特典総額から付与総額を差し引いた金銭価値が０よりも大きいことを、特典情報が示す特典をユーザに付与する条件としたが、これに限らない。決済処理部１３５は、特典情報に関連付けられている特典総額から付与総額を差し引いた金銭価値が、特典情報が示す特典に対応する金銭価値よりも大きいことを、ユーザに特典を付与する条件としてもよい。
【００５６】
また、決済処理部１３５は、記憶部１２に記憶されている特典管理情報において、特定したユーザＩＤと、店舗端末３から受信した店舗ＩＤとに関連付けて特典情報が記憶されていると判定すると、当該特典情報に関連付けられている第三者ＩＤと、ユーザＩＤとの関係を証明する有効な証明用情報が記憶部１２に記憶されているか否かを判定してもよい。そして、決済処理部１３５は、有効な証明用情報が記憶部１２に記憶されている場合に、特典情報が示す特典をユーザに付与し、有効な証明用情報が記憶部１２に記憶されていない場合に、特典情報が示す特典をユーザに付与しないようにしてもよい。決済処理部１３５は、有効な証明用情報が記憶部１２に記憶されておらず、特典情報が示す特典をユーザに付与しない場合に、特典を付与しなかった理由をユーザ端末２に通知してもよい。
【００５７】
決済処理部１３５は、特典情報が示す特典をユーザに付与することを決定すると、決済情報に含まれている決済金額に対し、特典情報が示す特典内容に基づいて割引を行い、取得したユーザＩＤで特定されるユーザの口座から引き落とす処理を実行する。また、決済処理部１３５は、決済情報に含まれている店舗ＩＤで特定される店舗の口座に、特典を適用した後の決済金額を入金する処理を実行する。決済処理部１３５は、決済金額の決済が完了すると、決済が完了したことを示す決済完了情報をユーザ端末２及び店舗端末３に通知する。
【００５８】
また、決済処理部１３５は、特典情報が示す特典がユーザに付与された場合、ユーザを特定する情報（例えばユーザＩＤ又はユーザ名）を含み、第三者に対応する特典情報が当該ユーザに付与されたことを示す付与結果情報を第三者端末４に通知してもよい。決済処理部１３５は、付与結果情報を含む決済完了情報を第三者端末４に通知してもよい。
【００５９】
また、決済処理部１３５は、ユーザに付与された特典に対応する付与総額を更新する。例えば、決済処理部１３５は、特典情報に関連付けられている付与総額に、特典情報が示す特典に対応する金銭価値を加算することにより付与総額を更新する。
【００６０】
決済処理部１３５は、特典管理情報において、特典情報に関連付けられている第三者ＩＤを特定し、当該第三者ＩＤが示す第三者に、特典に対応する金銭価値を請求する。例えば、記憶部１２に第三者ＩＤと、第三者が利用する金融機関の口座情報とを関連付けて記憶させておき、特定した第三者ＩＤに関連付けられている第三者の口座情報に基づいて、付与された特典に対応する金銭価値を第三者に請求する。例えば、決済処理部１３５は、第三者の口座から、付与された特典に対応する金銭価値を取得する請求情報を、当該口座に対応する金融機関に送信する。
【００６１】
［動作シーケンス］
図６は、決済システムＳの動作シーケンス図である。図７は、図６に続く動作シーケンス図である。
まず、第三者端末４は、端末を使用するユーザとしての第三者から、ユーザＩＤと、店舗ＩＤと、特典情報と、特典付与条件と、特典総額とを受け付け、受け付けたユーザＩＤと、店舗ＩＤと、特典情報と、特典付与条件と、特典総額とを決済処理装置１に送信する（Ｓ１）。登録部１３１は、第三者端末４から受信したユーザＩＤと、店舗ＩＤと、特典情報と、特典付与条件と、特典総額とを関連付けて特典管理情報として記憶部１２に記憶させる（Ｓ２）。
【００６２】
続いて、商品等を店舗で購入するユーザのユーザ端末２は、決済用コードの表示操作を受け付ける（Ｓ３）。要求送信部２５２は、ユーザＩＤと、決済用コードの発行要求とを決済処理装置１に送信する（Ｓ４）。
【００６３】
決済処理装置１の要求受信部１３２が、ユーザ端末２から、ユーザＩＤと、決済用コードの発行要求とを取得すると、トークン送信部１３３は、決済用トークンを生成する（Ｓ５）。トークン送信部１３３は、ユーザＩＤと、生成した決済用トークンとを関連付けて記憶部１２に記憶させる（Ｓ６）。トークン送信部１３３は、生成した決済用トークンを、決済用コードの発行要求を送信したユーザ端末２に送信する（Ｓ７）。
【００６４】
図７に説明を移す。ユーザ端末２のコード生成部２５３は、決済処理装置１から受信した決済用トークンに基づく決済用コードを生成し、生成した決済用コードを表示部２３に表示させる（Ｓ８）。ユーザが店舗において、ユーザ端末２に表示された決済用コードを提示し、店舗端末３の読取部３２が決済用コードを読み取る（Ｓ９）。
【００６５】
また、店舗端末３の決済用情報生成部３６１は、操作部３１において店員が入力した商品ＩＤ又は読取部３２が商品に付されたバーコードから読み取った商品ＩＤに基づいて商品の価格を特定し、決済金額を算出する（Ｓ１０）。店舗端末３の決済用情報送信部３６３は、Ｓ１０において算出された決済金額を含む決済情報と、店舗ＩＤと、Ｓ９において読み取られた決済用コードに含まれている決済用トークンとを含む決済要求を決済処理装置１に送信する（Ｓ１１）。
【００６６】
決済処理装置１の決済用情報受信部１３４は、店舗端末３から、決済情報と、決済用トークンとを含む決済要求を受信する。決済処理部１３５は、記憶部１２に記憶されている決済用トークンと、受信した決済用トークンが一致する場合に、受信した店舗ＩＤと、受信した決済用トークンに関連付けられているユーザＩＤとに対応する特典情報が示す特典をユーザに付与できるか否かを判定する（Ｓ１２）。
【００６７】
続いて、決済処理部１３５は、決済処理を行う（Ｓ１３）。具体的には、決済処理部１３５は、特典情報が示す特典をユーザに付与できると判定すると、特典をユーザに付与して決済を行い、受信した店舗ＩＤと、受信した決済用トークンに関連付けられているユーザＩＤとに関連付けられている特典情報に対応する付与総額を変更する。決済処理部１３５は、特典情報をユーザに付与できないと判定すると、特典情報が示す特典をユーザに付与せずに決済を行う。
【００６８】
続いて、決済処理部１３５は、決済完了情報をユーザ端末２に送信する（Ｓ１４）。ユーザ端末２の表示制御部２５４は、決済処理装置１から決済完了情報を受信すると、決済完了情報を表示部２３に表示させる（Ｓ１５）。
【００６９】
［変形例１］
以上の説明においては、決済処理装置１は、ユーザ端末２に決済用コードを表示させ、ユーザ端末２に表示された決済用コードを読み取った店舗端末３から決済情報を受信することにより決済を行ったが、これに限らない。例えば、コード決済の方式には、店舗端末３が表示した決済用コードを読み取ったユーザ端末２が決済用トークンとユーザＩＤとを決済処理装置に送信し、決済処理装置が当該決済用トークンとユーザＩＤとに基づいて決済処理を行う方式も存在する。そこで、決済処理装置１が、当該方式において決済を行うようにしてもよい。以下に、この場合の処理を簡単に説明する。
【００７０】
図８は、決済処理装置１がユーザ端末２から決済用トークンを受信することにより決済を行う場合の決済システムＳの概要を示す図である。
第三者は、第三者端末４を操作し、第三者ＩＤと、店舗ＩＤと、ユーザＩＤと、特典情報とを決済処理装置１に送信する（図８における（１））。決済処理装置１は、第三者端末４から受信した第三者ＩＤと、店舗ＩＤと、ユーザＩＤと、特典情報とを関連付けて記憶する（図８における（２））。
【００７１】
決済処理装置１は、予め店舗からの決済用コードの発行要求に応じて、店舗に対応する店舗ＩＤと、店舗に対応する決済用トークンを生成する（図８における（３））。ここで、決済用トークンには店舗ＩＤが含まれていてもよい。決済処理装置１は、店舗ＩＤと、決済用トークンとを関連付けて記憶部１２に記憶する（図８における（４））。決済用コードの発行要求は、店舗端末３を介して行われてもよいし、郵送や電子メール等により行われてもよい。発行された決済用トークンに対応する決済用コードと、店舗ＩＤとは、店舗端末３に送信されるものとする。
【００７２】
ユーザは、店舗において商品の購入を行う。店舗の店員は、ユーザが店舗において会計を行う場合に、例えば店舗端末３において購入対象の商品に付されたバーコードを読み取る。店舗端末３は、ユーザが購入する商品の合計額を示す店舗における決済金額を算出する。また、店員は、店舗端末３において、決済用コードを店舗端末３に表示させるための操作を行う。店舗端末３は、決済用コードを表示部３４に表示させる（図８における（５））。なお、店舗端末３が決済用コードを表示部３４に表示させることとしたが、これに限らない。例えば、店員が、紙等に印刷された決済用コードをユーザに提示してもよい。
【００７３】
ユーザ端末２は、ユーザによる決済用コードの読取操作に応じて、店舗端末３に表示された決済用コードを読み取る（図８における（６））。なお、決済処理装置１は、ユーザ端末２が決済用コードを読み取る場合に、ユーザ端末２からユーザＩＤを受信してもよい。そして、決済処理装置１は、記憶部１２に記憶されている特典管理情報において、受信したユーザＩＤに関連付けられている店舗ＩＤが示す店舗に対応する情報及び特典情報をユーザ端末に通知してもよい。
【００７４】
また、ユーザ端末２は、ユーザ端末２が決済用コードを読み取る場合に、ユーザから決済金額の入力を受け付ける（図８における（７））。ユーザ端末２は、決済用コードを読み取ると、読み取った決済用コードが示す決済用トークンと、決済金額を含む決済情報と、ユーザＩＤとを決済要求を決済処理装置１に送信する（図８における（８））。
【００７５】
決済処理装置１は、ユーザ端末２からユーザＩＤと決済用トークンとを受信すると、受信した決済用トークンが記憶されているか否かを判定する。決済処理装置１は、決済用トークンが記憶されていると判定した場合に、決済用トークンに関連付けられている店舗ＩＤと、受信した決済情報と、ユーザＩＤとに基づく決済処理を行うとともに、当該ユーザＩＤと、当該店舗ＩＤとに関連付けられて特典情報が記憶されていることを条件として、当該特典情報が示す特典をユーザに付与する（図８における（９））。決済処理装置は、決済時において、ユーザ端末２から特典情報を受信することなく、特典をユーザに付与する。
【００７６】
決済システムＳが以上のように動作することで、決済処理装置１は、ユーザ端末２に表示された決済用コードを読み取った店舗端末３から決済情報を受信することにより決済を行う場合と同様に、第三者が特典を付与することを決定した特定のユーザが、第三者が指定した特定の店舗で決済を行った場合に即時に特典を付与することができる。
【００７７】
［変形例２］
また、上述の説明では、登録部１３１は、第三者が使用する第三者端末４からユーザＩＤと、店舗ＩＤと、特典情報とを受け付け、受け付けたユーザＩＤと、店舗ＩＤと、特典情報とを関連付けて記憶部１２に記憶させることとしたが、これに限らない。登録部１３１は、第三者が使用する第三者端末４から、店舗ＩＤを受け付けずに、ユーザＩＤと、特典情報とを受け付けてもよい。そして、登録部１３１は、受け付けたユーザＩＤと、特典情報とを関連付けて記憶部１２に記憶させることとしてもよい。このようにすることで、決済処理装置１は、ユーザが商品等を購入する店舗を限定せずに、ユーザがコード決済を用いて商品等を購入したことに応じて、ユーザに特典を付与することができる。
【００７８】
［決済システムＳによる効果］
以上説明したように、本実施形態に係る決済処理装置１は、第三者端末４から受け付けたユーザＩＤと、店舗ＩＤと、特典情報とを関連付けて記憶部１２に記憶する。決済処理装置１は、ユーザ端末２が表示した決済用コードを読み取った店舗において使用される店舗端末３から、当該決済用コードに対応する決済用トークンと、店舗ＩＤと、決済情報を受信する。決済処理装置１は、受信した決済用トークンが記憶部１２に記憶されている場合、決済を行うとともに、当該決済用トークンに関連付けられて記憶されているユーザＩＤと、受信した店舗ＩＤとに関連付けられて特典情報が記憶部１２に記憶されていることを条件として、当該特典情報が示す特典をユーザに付与する。このようにすることで、決済処理装置１は、第三者が特典を付与することを決定した特定のユーザが、第三者が指定した特定の店舗で決済を行った場合に即時に特典を付与することができる。
【００７９】
なお、本発明により、国連が主導する持続可能な開発目標（ＳＤＧｓ）の目標９「産業と技術革新の基盤をつくろう」に貢献することが可能となる。
【００８０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８１】
１  決済処理装置
２  ユーザ端末
３  店舗端末
１１  通信部
１２  記憶部
１３  制御部
２１  操作部
２２  通信部
２３  表示部
２４  記憶部
２５  制御部
３１  操作部
３２  読取部
３３  通信部
３４  表示部
３５  記憶部
３６  制御部
１３１  登録部
１３２  要求受信部
１３３  トークン送信部
１３４  決済用情報受信部
１３５  決済処理部
２５１  操作受付部
２５２  要求送信部
２５３  コード生成部
２５４  表示制御部
３６１  決済用情報生成部
３６２  トークン送信部
３６３  決済用情報送信部
【要約】
【課題】特定のユーザが特定の店舗で決済を行った場合に即時に特典を付与する。
【解決手段】決済処理装置１は、第三者端末４から受け付けたユーザＩＤと、店舗ＩＤと、特典情報とを関連付けて記憶部１２に記憶する。決済処理装置１は、ユーザ端末２が表示した決済用コードを読み取った店舗において使用される店舗端末３から、当該決済用コードに対応する決済用トークンと、店舗ＩＤと、決済情報を受信する決済用情報受信部１３４と、受信した決済用トークンが記憶部１２に記憶されている場合、決済を行うとともに、当該決済用トークンに関連付けられて記憶されているユーザＩＤと、受信した店舗ＩＤとに関連付けられて特典情報が記憶部１２に記憶されていることを条件として、当該特典情報が示す特典を前記ユーザに付与する決済処理部１３５とを有する。
【選択図】図２【図１】
0006986644.tif 000002
【図２】
0006986644.tif 000003
【図３】
0006986644.tif 000004
【図４】
0006986644.tif 000005
【図５】
0006986644.tif 000006
【図６】
0006986644.tif 000007
【図７】
0006986644.tif 000008
【図８】
0006986644.tif 000009